(57)【要約】【課題】、柔らかくかつ風合いが良好であるうえ、中綿を構成する繊維が布団側から飛び出るおそれのない掛布団を提供する。【解決手段】掛布団１は、編物からなる袋状の布団側２と、布団側２内に詰められ、繊度が２０デニール以下のエンドレスファイバーで形成された中綿３と、布団側２と中綿３との間に設けられる綿シート４と、を備える。【選択図】図１
0003190688.tif 000002
【実用新案登録請求の範囲】
【請求項１】
編物からなる袋状の布団側と、
前記布団側内に詰められ、繊度が２０デニール以下のエンドレスファイバーで形成された中綿と、
前記布団側と前記中綿との間に設けられる綿シートと、を備える掛布団。
【請求項２】
前記綿シートは、目付が３０ｇ／ｍ２以上２００ｇ／ｍ２以下である請求項１に記載の掛布団。
【請求項３】
前記綿シートは、厚さが２ｍｍ以上３０ｍｍ以下である請求項１または２に記載の掛布団。
【考案の詳細な説明】
【技術分野】
【０００１】
本考案は、掛布団に関する。
【背景技術】
【０００２】
寝具として用いられる掛布団は、一般に袋状の布団側内に木綿や合成繊維綿などの中綿が詰められた構成である（例えば特許文献１を参照）。この掛布団において、布団側は、風合い（手触りや肌触り）が良好であることに加えて、中綿を形成している繊維が布団側から飛び出さないことが重要である。ここで、布団側の生地として織物を用いると、編物を用いる場合と比べて風合い（手触りや肌触り）が悪くなるので、編物を用いることが好ましい。一方、中綿は、掛布団が体にフィットするために柔らかく、かつ、風合いが良好であることが求められており、そのためには、中綿を形成している繊維として、細いエンドレスファイバーを用いることが好ましい。しかし、編物からなる布団側内に細いエンドレスファイバーを詰め込むと、目の大きい網目から繊維が飛び出してしまうという問題点がある。
【先行技術文献】
【特許文献】
【０００３】
【特許文献１】特開２００８−１４２３９１号公報
【考案の概要】
【考案が解決しようとする課題】
【０００４】
本考案は、上記問題を解決するためになされたものであって、布団側の生地として編物を用い、中綿として細デニールのエンドレスファイバーを用いることで、柔らかくかつ風合いが非常に良好な掛布団を提供するとともに、中綿を形成する繊維が布団側から飛び出るおそれのない掛布団を提供することを目的とする。
【課題を解決するための手段】
【０００５】
本考案の上記目的は、編物からなる袋状の布団側と、前記布団側内に詰められ、繊度が２０デニール以下のエンドレスファイバーで形成された中綿と、前記布団側と前記中綿との間に設けられる綿シートと、を備える掛布団により達成される。
【０００６】
上記構成の掛布団において、前記綿シートは、目付が３０ｇ／ｍ２以上２００ｇ／ｍ２以下であることが好ましい。
【０００７】
また、前記綿シートは、厚さが２ｍｍ以上３０ｍｍ以下であることがさらに好ましい。
【考案の効果】
【０００８】
本考案の掛布団によれば、使用者の肌に直に触れる布団側が編物からなるので、風合い（手触りや肌触り）を良好にすることができる。そのうえ、布団側内に詰められる中綿が細いエンドレスファイバーにより形成されているので、掛布団を柔らかくすることができ、さらに掛布団の使用時の風合い（手触り・肌触り）も良好にすることができる。よって、掛布団が使用時に使用者の身体にフィットするので、保温性を高めることができるとともに、触り心地が良くソフトな感触を使用者に与えることができる。
【０００９】
また、綿シートが、布団側と中綿との間に介在しているので、中綿を形成するエンドレスファイバーが細くても、編物からなる布団側の網目から飛び出るのを遮断している。よって、布団側の網目をつぶしたり埋めたりするなどの加工を布団側に施さなくても、中綿が布団側から飛び出るのを防止できるので、掛布団の通気性を確保することができる。
【図面の簡単な説明】
【００１０】
【図１】本考案の一実施形態に係る掛布団の概略断面図である。
【考案を実施するための形態】
【００１１】
以下、本考案の実施形態について添付図面を参照して説明する。図１は、本考案の一実施形態に係る掛布団１の概略断面図である。本実施形態の掛布団１は、布団側２と、布団側２内に詰められる中綿３と、布団側２と中綿３との間に設けられる綿シート４と、を備えている。
【００１２】
布団側２は、表生地２０及び裏生地２１を有する。表生地２０及び裏生地２１は、同じ寸法で平面視矩形状に形成されており、周縁（四方の辺）が互いに縫い合わされることで、内部に密閉空間を有する袋状に形成されている。布団側２（表生地２０及び裏生地２１）は使用者の肌に直に触れる部分であるので、風合い（手触り・肌触り）を良好にするために、繊維を種々の方法（例えば、天竺編みやフライス編み、スムース編みなど）で編み上げた編物で構成されている。
【００１３】
布団側２（表生地２０及び裏生地２１）の素材としては、特に限定されないが、天然繊維及び合成繊維などのいずれを使用してもよく、長繊維及び短繊維のどちらを使用してよい。また、これらの繊維を単独で使用してもあるいは複数種混合して使用してもよい。合成繊維としては、例えば、ポリエステル繊維、ポリアミド繊維、ポリエチレン繊維、ポリプロピレン繊維などを挙げることができる。
【００１４】
中綿３は、エンドレスファイバーで構成されている。一般の中綿は、短くカットされた所定の長さの繊維を無数におり重ねて形成されているが、エンドレスファイバーは途切れることのないほど非常に長い繊維であるため、エンドレスファイバーで形成された中綿３が使用された掛布団１は、中綿３からホコリが出にくく、かつ、洗濯時に綿切れしにくく、一般の中綿が使用された掛布団よりも衛生的である。また、エンドレスファイバーで形成された中綿３が使用された掛布団１は、一般の掛布団よりも通気性や保温性にも優れ、中綿３が片寄りにくく、かつ、掛布団１の使用時の風合い（手触り・肌触り）を高めることができる。
【００１５】
中綿３を形成するエンドレスファイバーの素材は、特に限定されないが、天然繊維や合成繊維などいずれを使用してもよい。合成繊維としては、例えば、ポリエステル繊維、ポリアミド繊維、ポリエチレン繊維、ポリプロピレン繊維などを挙げることができる。
【００１６】
中綿３を形成するエンドレスファイバーの繊度（繊維径）は、掛布団１の柔らかさを向上させる観点から細いことが必要であるが、細すぎると繊維が切れやすいため、約０．７０デニール以上２０デニール以下であることが好ましい。なお、エンドレスファイバーの繊度は、ＪＩＳ−Ｌ−１０１９−７．４．１の繊度のマイクロネヤによる方法に準拠して測定することができる。十分ほぐした原綿を所定の円筒部に挿入し、マイクロネヤリーディングとして記録し、２回の平均値で算出した。また、マイクロネヤ値をデニール値に換算した。エンドレスファイバーの断面形状は、特に限定されず、中空形状、中実形状、円形状、偏平形状などいずれの形状であっても構わない。
【００１７】
綿シート４は、天然繊維や合成繊維からなる綿を所定厚のシート状に加工したものであり、この綿シート４の内側に中綿３が詰められた状態で布団側２内に収納されている。掛布団１は、断面視において、裏面側から、布団側２（裏生地２１）、綿シート４、中綿３、綿シート４及び布団側２（表生地２０）の５層構造となっている。綿シート４が、布団側２と中綿３との間に介在して中綿３を覆っていることで、中綿３を形成する細いエンドレスファイバーが、編物からなる布団側２（表生地２０及び裏生地２１）の網目から飛び出るのを遮断している。
【００１８】
綿シート４の素材は、特に限定されないが、天然繊維や合成繊維などいずれを使用してもよく、長繊維及び短繊維のどちらを使用してよい。また、これらの繊維を単独で使用してもあるいは複数種混合して使用してもよい。合成繊維としては、例えば、ポリエステル繊維、ポリアミド繊維、ポリエチレン繊維、ポリプロピレン繊維などを挙げることができる。
【００１９】
綿シート４の厚みは、内部の中綿３を形成するエンドレスファイバーが綿シート４を通り抜けるのを防止するために、２ｍｍ程度以上あることが好ましい。一方で、綿シート４を厚くし過ぎると、掛布団１としての柔らかさに欠けるため、綿シート４の厚みは３０ｍｍ程度以下であることがさらに好ましい。
【００２０】
綿シート４の目付は、掛布団１の柔らかさを確保するため、３０ｇ／ｍ２以上２００ｇ／ｍ２以下であることが好ましい。
【００２１】
さらに、綿シート４を形成する繊維の繊度（繊維径）は、特に限定されない。綿シート４を形成する繊維の断面形状は、特に限定されず、中空形状、中実形状、円形状、偏平形状などいずれの形状であっても構わない。
【００２２】
上記構成の掛布団１によれば、使用者の肌に直に触れる布団側２が編物からなるので、風合い（手触りや肌触り）を良好にすることができる。そのうえ、布団側２内に詰められる中綿３が細いエンドレスファイバーにより形成されているので、掛布団１を柔らかくすることができ、さらに掛布団１の使用時の風合い（手触り・肌触り）も良好にすることができる。よって、上記構成の掛布団１は、使用時に使用者の身体にフィットするので、保温性を高めることができるとともに、触り心地が良くソフトな感触を使用者に与えることができる。
【００２３】
また、綿シート４が、布団側２と中綿３との間に介在して中綿３を覆っているので、中綿３を形成するエンドレスファイバーが細くても、編物からなる布団側２（表生地２０及び裏生地２１）の網目から飛び出るのを遮断している。よって、布団側２の網目をつぶしたり埋めたりするなどの加工を布団側２に施したり掛布団カバーなどでもって掛布団１を覆わなくても、中綿３が布団側２から飛び出るのを防止できるので、掛布団１の通気性を確保することができる。
【００２４】
以上、本考案の一実施形態について説明したが、本考案は上記実施形態に限定されるものではなく、本考案の趣旨を逸脱しない限りにおいて種々の変更が可能である。
【符号の説明】
【００２５】
１    掛布団
２    布団側
３    中綿
４    綿シート
【図１】
0003190688.tif 000003